(57)【要約】【課題】安価でかつ確実に離床を検出することのできる離床検出装置を提供する。【解決手段】心理的に不快感を与える度合いの高い踏みたくなる暗く色数の少ない図像が描画されたシート状部材５１ａと、シート状部材５１ａに取り付けられ、加重により作動するセンサ５２とを備えたシート状センサ３と、シート状部材５１ａの図像よりも明るく色数の多く、心理的に不快感を与える度合いの低い踏みたくならない図像が表面に描画され、シート状部センサ３と床面に並べて配置されるシート２，４〜７と、シート状センサ３からの検知信号を出力するセンサ出力線３１と、センサ出力線３１に接続され、検知信号に基づき離床検出動作を記録するナースコール親機３６とを有する。【選択図】    図１
2005034226.tif 000002
【特許請求の範囲】
【請求項１】
観察者に心理的に不快感を与える度合いの高い図像が描画されたシート状部材と、
前記シート状部材に取り付けられ、加重により作動するセンサ部と
を具備してなり、前記シート状部材は、該シート状部材の図像よりも観察者に心理的に不快感を与える度合いの低い図像が表面に描画されたシートと並べて配置され用いられることを特徴とする離床検出装置。
【請求項２】
前記シート状部材の図像は、足形の図像であり、前記シートの図像は、前記足形の図像よりも明るい、あるいは色数の多い図像であることを特徴とする請求項１に記載の離床検出装置。
【請求項３】
観察者に心理的に不快感を与える度合いの高い図像図像が描画されたシート状部材と、
前記シート状部材に取り付けられ、加重により作動するセンサ部とを備えたシート状センサと、
前記シート状部材の図像よりも観察者に心理的に不快感を与える度合いの高い図像図像が表面に描画され、前記シート状センサと並べて配置されるシートと、
前記シート状センサからの検知信号を出力する出力線と、
前記出力線に接続され、前記検知信号に基づき離床検出動作を記録する記録装置と
を具備してなることを特徴とする離床検出装置。
【請求項４】
前記シート状部材の図像は、前記シートの図像よりも明るいあるいは色数の多い図像であることを特徴とする請求項３に記載の離床検出装置。
【発明の詳細な説明】
【０００１】
【発明の属する技術分野】
本発明は、家庭、病院、福祉施設、保育所等において、ベッドの脇に配置して使用されるシート状ないしマット状の離床検出装置に関する。
【０００２】
【従来の技術】
従来、ベッド脇に配置して使用されるマット状の離床センサは特に介護専用型老人ホーム、老人保健施設、特別養護老人ホーム等において使用されている。
【０００３】
一例として、特開平１１−２１３２６６号には、シート状センサを利用した簡易型徘徊報知器が記載されている。
【０００４】
この特開平１１−２１３２６６号に記載された徘徊報知システムの一例を図７に示す。図７に示すように、ベッド２０１の柵が設置されていない側の床面には、シート状センサ２０２が配置されている。ベッド２０１の着床者が起きあがりベッド２０１から離床する際にこのシート状センサ２０２を踏み、その離床者の体重がシート状センサ２０２に加重されると、シート状センサ２０２が作動して信号がセンサ出力線を介して変換器２０３に伝えられる。変換器２０３はこの信号を接点信号等に変換して、コネクタ２０４を介してナースコール端末２０５と接続されたナースコールシステム２０６に伝えられる。ナースコールシステム２０６の表示盤２０７には、当該ベッド２０１で離床が検出されたことを示す離床検出情報が表示される。また、ナースコールスイッチ２０８を着床者が押した場合には、ナースコール信号が変換器２０３を介してナースコールシステム２０６に伝えられ、表示盤２０７にナースコールが表示される。
【０００５】
【特許文献１】
特開平１１−２１３２６６号公報
【０００６】
【発明が解決しようとする課題】
しかしながら、上記徘徊報知システムに用いられるシート状センサ２０２は、ベッド長（約１．８ｍ）とほぼ同様の長さをベッドサイドを占めるように配置されるものであり、コストがかさむ等の欠点があった。すなわち、シート状センサ２０２はベッド長とほぼ同じ長さＬがあればよいが、その場合高価となり、長さが短いと踏まれずに離床を検出できない可能性が高くなる。
また、従来のシート状センサ２０２は、玄関の出入口や部屋の出入口の出入り検知用として使用される場合が多いため、デザイン的に優れたものがなかった。
【０００７】
本発明は上記課題を解決するためになされたもので、その目的とするところは、安価でかつ確実に離床を検出することのできる離床検出装置を提供することにある。
【０００８】
【課題を解決するための手段】
この発明の１つの観点によれば、観察者に心理的に不快感を与える度合いの高い図像が描画されたシート状部材と、前記シート状部材に取り付けられ、加重により作動するセンサ部とを具備してなり、前記シート状部材は、該シート状部材の図像よりも観察者に心理的に不快感を与える度合いの低い図像が表面に描画されたシートと並べて配置され用いられることを特徴とする離床検出装置が提供される。
【０００９】
また、本発明の別の観点によれば、観察者に心理的に不快感を与える度合いの高い図像図像が描画されたシート状部材と、前記シート状部材に取り付けられ、加重により作動するセンサ部とを備えたシート状センサと、前記シート状部材の図像よりも観察者に心理的に不快感を与える度合いの高い図像図像が表面に描画され、前記シート状センサと並べて配置されるシートと、前記シート状センサからの検知信号を出力する出力線と、前記出力線に接続され、前記検知信号に基づき離床検出動作を記録する記録装置とを具備してなることを特徴とする離床検出装置が提供される。
【００１０】
このように、加重により作動するセンサ部を備えたシート状センサとシートをベッド横の床面に配置することにより、着床者がベッドから離床する際には、自ずとセンサ設置部分に着地することになり、離床動作を着実に検知することができ、検知漏れが低減する。また、シート全体にセンサを配した場合に比較してセンサ部分の面積が小さくて済むので、ベッド長と同じ長さのシートであっても廉価に製作することができる。しかも、単なる離床検出のための検知器として機能するのみならず、デザイン的に考慮されたインテリアとしてベッド設置場所周辺を飾ることができ、着床者の気分をなぐさめたり、爽快にさせるだけでなく、着床者を見舞う人の心を和ませることができる。
【００１１】
【発明の実施の形態】
以下、図面を参照しながら本発明の実施形態を説明する。
【００１２】
図１は本発明の一実施形態に係る離床検出システムの全体構成の一例を示す図である。
【００１３】
図１に示すように、ベッド長Ｌのベッド１の離床者からみて左側部の床面には、各々が分離独立したシート２、シート状センサ３及びシート４がベッドの上端側から下端側まで順番に並んで配置される。また、ベッド２の離床者からみて右側部の床面には、各々が分離独立した３つのシート５，６及び７がベッドの上端側から下端側まで順番に並んで配置されている。シート状センサ３の表面には、離床者が踏みたくなる図像として、観察者に心理的に不快感を与える度合いの高い図像等が描画されている。また、シート２，４〜７の表面には、離床者が踏みたくなくなる図像として、上記シート状センサ３表面の図像よりも、観察者に心理的に不快感を与える度合いの低い図像等が描画されている。これらシート２，４〜７及びシート状センサ３のベッド長と平行な方向の長さは、Ｌ／３ないしこれよりも若干短い長さに設定される。好ましくは、シート２，４〜７及びシート状センサ３のいずれもベッド長と平行な方向に配置される長さは等しい。シート２，４〜７には、センサは設けられない。
【００１４】
離床者が踏みたくなるか否か、すなわち心理的に不快感を与える度合いは、例えば図像等の色数、明るさ（明度）などにより区別できる。すなわち、色数が多いカラフルな図像であれば美しさを感じて離床者が踏みたくなくなり、色数が少ないシンプルな図像であれば美しさを感じないため、カラフルでデザイン的にすぐれたものに比較すれば離床者が踏みたくなる図像であるといえる。また、明るい図像（明度の高い図像）であれば美しさを感じて離床者が踏みたくなくなり、暗い図像（明度の低い図像）であれば明るい図像よりは美しさを感じず踏みたくなる図像であるといえる。
【００１５】
離床者が踏みたくなくなる図像等の一例は、例えばシート２に描画されているさわやかなチューリップの絵、シート４に描画されている富士山を桜にした桜のきれいな写真、シート５〜７に描画されているかわいい子犬の写真などが該当する。
【００１６】
離床者が踏みたくなる図像等の一例は、シート状センサ３に描画されている人間の足形を模した図像等が該当する。これにより、離床者にはシート状センサの足形の図像の上に着地するように暗に指示されている。
【００１７】
ベッド１の上端には落下防止用柵１ａが設けられ、また、ベッド１の下端には落下防止用柵１ｂが設けられている。これら落下防止用柵１ａ及び１ｂにより、ベッドの上端や下端からの着床者の落下を防止する。
【００１８】
シート状センサ３にはセンサ出力線３１が接続されている。センサ出力線３１は変換器３２のコネクタ３２ａに接続されている。また、変換器３２にはコネクタ３２ｂが設けられ、このコネクタ３２ｂにはセンサ出力線３４を介して押しボタンスイッチ等の付いたハンド型子機３３が接続されている。変換器３２は、ハンド型子機３３あるいはシート状センサ３からの信号を検知すると、この信号を接点信号等のナースコールシステムを作動させる信号に変換して信号線３５を介してナースコール親機３６に出力する。
【００１９】
ナースコール親機３６は、ハンド型子機３６の検知信号を受信すると、ベッド１の患者に関する患者氏名、ベッド番号、救護区分などの患者データを内蔵のデータベースから読み出し表示部３６ａに表示する。また、シート状センサ３からの検知信号を受信すると、ベッド１の患者の離床をベッド番号、患者データや離床時刻とともにデータベースに記録し、あるいは表示部３６ａに離床者の患者氏名、ベッド番号等を表示する。これにより、患者の離床動作を検出することができる。このように、ナースコール親機３６は、離床検出動作を表示する離床動作表示装置、離床動作記録装置として機能する。
【００２０】
シート状センサ３のセンサの種類は問わないが、人体の加重で動作する圧力センサ方式が用いられる。
【００２１】
図２はシート状センサ３の構成の一例を示す図である。図２に示すように、シート状センサ３は２枚のビニール、ナイロン、ポリエチレン等の薄いシート状部材５１ａ及び５１ｂを重ね合わせて形成される。シート状部材５１ａ及び５１ｂの間には、所定の間隔をおいてセンサ５２が等間隔に複数配置される。このセンサ５２は、２枚の導電性の上電極板５２ａ及び下電極板５２ｂと、これら上電極板５２ａ及び下電極板５２ｂに挟まれて形成された弾力性絶縁材５２ｃからなる。センサ５２同士の間及びシート状部材５１ａ及び５１ｂの周縁部は、シート状部材５１ａ及び５１ｂが互いに溶着される。
【００２２】
上電極板５２ａはすべて共通線５３で接続され、下電極板５２ｂはすべて共通線５３で接続されている。シート状部材５１ａ側、あるいはシート状部材５１ｂ側から加重すると、上電極板５２ａ及び下電極板５２ｂが接触して導通が得られる。その結果、端面に出た出力線３１に導通が得られる。
【００２３】
このように、ベッド側部の床面にシートを配置する場合に、センサを有するシート状センサはその一部のみに離床者が踏みたくなる図像等を描画したものを配置し、それ以外にはセンサを有さないシートを離床者が踏みたくならない図像等を描画したものを配置する。これにより、着床者がベッドから離床する際には、自ずとセンサ設置部分に着地することになり、離床動作を着実に検知することができ、検知漏れが低減する。また、シート全体にセンサを配した場合に比較してセンサ部分の面積が小さくて済むので、ベッド長Ｌと同じ長さのシートであっても廉価に製作することができる。しかも、単なる離床検出のための検知器として機能するのみならず、デザイン的に考慮されたインテリアとしてベッド設置場所周辺を飾ることができ、着床者の気分をなぐさめたり、爽快にさせるだけでなく、着床者を見舞う人の心を和ませることができる。
【００２４】
本発明は上記実施形態に限定されるものではない。
【００２５】
上記実施形態ではシート２、シート状センサ３、シート４〜７の各々は分離されているが、ベッドの上端から下端までのベッド長Ｌとほぼ同じ長さになるように互いに分離せずに一体のものとして形成されていてもよい。図３は一体型離床検出装置の一例を示す図である。図３に示すように、シート状センサ３の一端はシート２の端部と溶着部６１により溶着されている。また、シート状センサ３の他端はシート４の端部と溶着部６２により溶着されている。このように、シート状センサ３はセンサを設置していないシート２及び４と一体的に形成されている。したがって、比較的軽量の材料で形成した場合であっても着床者の着床動作等によりシートのずれやすべりを防止することができる。
【００２６】
また、上記実施形態ではベッドの両側部にシートが配置される例を示したが、これに限定されない。図４はベッドの右側部に落下防止用柵１ｃが設けられているベッドにおける離床検出装置の使用例を示す図である。図４に示すように、落下防止用柵１ｃが設けられているベッドサイドにはシートを配置する必要がなく、廉価で離床を検出することができる。
【００２７】
また、上記図４の例ではベッドの右側部に落下防止用柵１ｃが設けられた例を示したが、これに限定されない。例えば、ベッドの左側部にも部分的に落下防止用柵１ｄ，１ｅを配置してもよい。図５はベッドの左側部に落下防止用柵１ｄ，１ｅが配置されているベッドにおける離床検出装置の使用例を示す図である。図５に示すように、落下防止用柵１ｄはベッド上端部から所定の長さ（例えば６０ｃｍ）まで設けられ、ベッド上端側からの離床に対するストッパとして機能する。落下防止用柵１ｅはベッド下端部から所定の長さ（例えば６０ｃｍ）まで設けられ、ベッド下端側からの離床に対するストッパとして機能する。これにより、ベッドから離床する場合には、シート状センサ３上に着地するようにストッパ１ｄ及び１ｅによりガイドされる。このように、落下防止用柵１ｄ及び１ｅがシート状センサ３へのガイド部材として機能することにより、より確実にシート状センサ３上への着地を誘導することができる。また、シート状センサ３に確実に着地させることができるので、着地のおそれがない位置にシート２及び４を配置せずに用いてもよい。
【００２８】
図１や図２に示したシート２，４〜７、シート状センサ３の構成はほんの一例にすぎない。図１のように写真を印刷したものに限らず、各シート部分の用途に合わせてセンサ設置部分を踏まざるを得ないような絵、図、記号等の図像を、またセンサ非設置部分を踏みつけるのを躊躇する絵、図、記号等の図像を描画することができる。
【００２９】
また、図２のシート状センサ３の構成はほんの一例にすぎない。足形の図像により踏み付けを促す仕組みとしたが、これに限定されない。例えば、シート状温調機器をシート状センサ３内部に配置してもよい。例えば冬などの寒い季節には温調機器の温度を室温よりも高い温度に設定し、夏などの暑い季節には温調機器の温度を室温よりも低い温度に設定することにより、離床者は離床時にシート状センサ３上に着地することで心地よさを感じることができる。
【００３０】
また、シート状センサ３０の別の例を図６に示す。図２と共通する構成には同一符号を付して詳細な説明は省略する。この図６のシート状センサ３０では、シート状部材５１ａの表面に複数の突起７１が設けられている。これら突起７１は、例えば０．５ｍｍ〜１．５ｃｍ程度で、着地の際に各突起が離床者の足裏を刺激する。これにより、離床の度に離床者は足裏が刺激される足裏マッサージの心地よさを感じることができ、かつ離床者の健康の増進に寄与する。また、この突起７１の一部をセンサ５２の上電極板５２ａ及び下電極板５２ｂの上で、かつ弾力性絶縁材５２ｃが設けられていない位置に配置することにより、離床者のわずかな加重が突起位置に集中するため、センサ５２の検知性能が低くても確実に検知動作を行うことができ、センサ自体を廉価に製造できる。さらに、この突起７１の配置される位置を前述の足形の図像の位置にあわせて配置することにより、足形の図像の位置への離床者の着地を誘導することができる。
【００３１】
また、図１のシート２，４〜７の構成はほんの一例にすぎない。踏み付けを禁止するために踏みつけるのを躊躇する図像を描画する例を示したが、これに加えて内部に粒状物を封入する構成としてもよい。この場合、シート内部の粒状物がその表面からの加重により摩擦が発生し、きしんで音を出すようにして、踏みつけ禁止の警告機能をもたせてもよい。
【００３２】
【発明の効果】
以上詳述したように本発明によれば、安価でかつ確実に離床を検出することのできる離床検出装置が提供される。
【図面の簡単な説明】
【図１】本発明の一実施形態に係る離床検出システムの全体構成を示す図。
【図２】同実施形態に係るシートの詳細な構成の一例を示す図
【図３】同実施形態に係る一体型離床検出装置の一例を示す図。
【図４】同実施形態に係るベッド片側部に落下防止用柵を備えたベッドにおける離床検出装置の使用例を示す図。
【図５】同実施形態に係るベッド両側部に落下防止用柵を備えたベッドにおける離床検出装置の使用例を示す図。
【図６】シート状センサの変形例を示す図。
【図７】従来の徘徊報知システムを示す図。
【符号の説明】
１…ベッド、１ａ，１ｂ，１ｃ，１ｄ，１ｅ…落下防止用柵、２，４，５，６，７…シート、３…シート状センサ、３１…センサ出力線、３２…変換器、３２ａ，３２ｂ…コネクタ、３３…ハンド型子機、３４…センサ出力線、３５…信号線、３６…ナースコール親機、３６ａ…表示部
【図１】
2005034226.tif 000003
【図２】
2005034226.tif 000004
【図３】
2005034226.tif 000005
【図４】
2005034226.tif 000006
【図５】
2005034226.tif 000007
【図６】
2005034226.tif 000008
【図７】
2005034226.tif 000009